(57)【特許請求の範囲】
【請求項１】
所定の領域内で、撮像レンズを用いて画像を撮影し、撮影された画像を画像記録媒体に記録する撮影装置と、
撮影の際に、前記所定の領域内に配置された交信ポイントの第２通信手段と情報の送受信が可能な第１通信手段と、
前記第１通信手段と前記第２通信手段との間でその少なくとも１つが送受信される、前記撮影画像の撮影コマ情報または撮影時刻情報と前記画像記録媒体の識別情報との少なくとも一方、および前記交信ポイントの識別情報を記録する情報記録手段と、
前記撮影画像の再生時に、前記撮影装置の前記画像記録媒体に記録された前記撮影画像を取得する撮影画像取得手段、
前記情報記録手段から、前記撮影画像の前記撮影コマ情報または前記撮影時刻情報と前記画像記録媒体の識別情報との少なくとも一方、および前記交信ポイントの識別情報を取得する情報取得手段、
前記交信ポイントの識別情報に基づいて、当該撮影コマの前記撮影画像の撮影場所を割り出し、この撮影場所に対応する所定の画像データ、文書データ、音声データおよびプログラムデータのいずれか一つ以上を合成データとして取得するデータ取得手段、
前記撮影画像取得手段によって取得された前記画像記録媒体に記録された前記撮影画像を再生画像として再生する画像再生手段、および
この画像再生手段によって再生される前記再生画像に付随させて、前記データ取得手段によって取得された前記合成データを記録するデータ記録手段を備える画像再生装置とを有し、
前記情報記録手段は、前記所定の領域内にデータベースとして備えられ、
前記第１通信手段は、前記撮影の際に、前記撮影装置側で得られた前記撮影コマ情報または前記撮影時刻情報と前記画像記録媒体の識別情報とを前記交信ポイントの前記第２通信手段に送信し、
前記交信ポイントは、前記第２通信手段で受信した前記撮影コマ情報または前記撮影時刻情報と前記画像記録媒体の識別情報とを、当該交信ポイントの識別情報とともに、前記所定の領域内の前記データベースに記録管理させ、
前記撮影画像の再生時に、前記情報取得手段は、前記撮影コマ情報または前記撮影時刻情報、前記画像記録媒体の識別情報および前記交信ポイントの識別情報を前記データベースから読み出して取得することを特徴とする画像撮影再生システム。
【請求項２】
前記第１通信手段は、前記撮影装置に備えられる請求項１に記載の画像撮影再生システム。
【請求項３】
前記第１通信手段は、前記撮影装置と対応付けられた通信機能付きカードに備えられる請求項１に記載の画像撮影再生システム。
【請求項４】
前記第１通信手段は、ＩＣチップ内に備えられている請求項１〜３のいずれかに記載の画像撮影再生システム。
【請求項５】
前記画像記録媒体が、写真フィルムである請求項４に記載の画像撮影再生システム。
【請求項６】
前記撮影装置が、レンズ付きフィルムである請求項５に記載の画像撮影再生システム。
【請求項７】
前記ＩＣチップは、前記写真フィルムのパトローネに取り付けられている請求項５または６に記載の画像撮影再生システム。
【請求項８】
前記画像記録媒体が、画像データ記録媒体である請求項１〜３のいずれかに記載の画像撮影再生システム。
【請求項９】
前記撮影装置が、デジタルスチルカメラまたはデジタルビデオカメラである請求項８に記載の画像撮影再生システム。
【請求項１０】
前記第１通信手段は、ＩＣチップ内に備えられており、前記ＩＣチップは、前記画像データ記録媒体を内包する匡体に取り付けられている請求項８または９に記載の画像撮影再生システム。
【請求項１１】
前記画像再生手段は、前記撮影画像の前記再生画像を写真プリントとして再生し、
前記データ記録手段は、前記合成データを前記再生画像に合成するか、または前記写真プリントに裏プリントする請求項１〜１０のいずれかに記載の画像撮影再生システム。
【請求項１２】
前記画像再生手段は、前記撮影画像の前記再生画像の画像データを画像データ記録媒体に記録するメディアドライバであり、
前記データ記録手段は、前記合成データを前記再生画像の画像データと合成するか、または前記再生画像の画像データのヘッダに記録する請求項１〜１０のいずれかに記載の画像撮影再生システム。
【請求項１３】
前記画像再生手段は、前記撮影画像の前記再生画像の画像データを通信網を介して配信する画像データ配信手段であり、
前記データ記録手段は、前記合成データを前記再生画像の画像データと合成するか、または前記再生画像の画像データのヘッダに記録する請求項１〜１０のいずれかに記載の画像撮影再生システム。
【請求項１４】
前記撮影コマ情報は、撮影コマ番号であり、
前記交信ポイントの識別情報は、前記交信ポイントのＩＤ情報である請求項１〜１３のいずれかに記載の画像撮影再生システム。
【請求項１５】
前記交信ポイントは、前記所定の領域内に設けられたゲートであり、
前記交信ポイントのＩＤ情報は、前記所定の領域内の所定の場所を示すゲート情報である請求項１４に記載の画像撮影再生システム。
【請求項１６】
前記交信ポイントの識別情報は、所定の撮影場所を示す情報、または所定の撮影場所を示す情報およびこの所定の場所に対応した所定の画像または文書を含む情報である請求項１〜１５のいずれかに記載の画像撮影再生システム。
【請求項１７】
同一の前記交信ポイントに対応する前記撮影コマが複数ある場合に、各々の前記撮影コマ毎に異なる前記撮影場所に対応した所定の画像データ、文書データ、音声データおよびプログラムデータのいずれか一つ以上を割り当てるようにした請求項１〜１６のいずれかに記載の画像撮影再生システム。
【請求項１８】
前記交信ポイントの識別情報に、さらに、日時、時刻データを追加し、各々の前記再生画像にその撮影日時または時間帯を記録するようにした請求項１〜１７のいずれかに記載の画像撮影再生システム。
【請求項１９】
同一の前記交信ポイントに対応する前記撮影コマ毎にグループ分けし、特定の背景画像と合成して、インデックス画像を作成するようにした請求項１〜１８のいずれかに記載の画像撮影再生システム。
【請求項２０】
前記撮影装置は、さらに、予め音声データを記録するメモリ、または前記交信ポイントからこの交信ポイントの場所に対応した所定の音声データを受信する音声データ受信手段と、前記メモリが記録している音声データ、または前記交信ポイントから前記音声データ受信手段が受信した音声データを再生出力するスピーカと、を備え、
前記撮影コマを撮影する毎に、または所定の操作毎に、前記スピーカから前記音声データを再生出力する請求項１〜１９のいずれかに記載の画像撮影再生システム。
【請求項２１】
前記撮影装置は、さらに、筐体の外装部分に配置される、シート状画像表示デバイスからなる画像表示部と、この画像表示部に表示する表示画像の調整を行う画像表示調整部とを備えるものである請求項１〜２０のいずれかに記載の画像撮影再生システム。
【請求項２２】
前記画像表示部は、前記筐体の複数面に画像表示面を備える請求項２１に記載の画像撮影再生システム。
【請求項２３】
前記画像表示調整部は、前記画像表示部に表示するために、画像データを選択し、前記画像表示部に撮影済み画像の縮小画像、撮影対象画像、操作設定画面および操作説明画面の少なくとも１つを表示させる請求項２１または２２に記載の画像撮影再生システム。
【請求項２４】
請求項２１〜２３のいずれかに記載の画像撮影再生システムであって、
前記撮影装置は、画像データを取得する画像データ取得手段を備え、
前記画像表示調整部は、前記画像データ取得手段によって画像データを得ることにより、前記画像データに基づく取得画像を表示させることを特徴とする画像撮影再生システム。
【請求項２５】
前記画像データ取得手段は、予め画像記録媒体あるいはデータ記録部に記録された画像データを呼び出して取得し、あるいは画像データ受信器によって画像データを受信して取得し、
前記画像表示調整部は、取得した前記画像データに基づく取得画像を前記画像表示部に所定のタイミングで表示させる請求項２４に記載の画像撮影再生システム。
【請求項２６】
撮影装置側において、
所定の領域内で、撮像レンズを用いて画像を撮影し、撮影された画像を画像記録媒体に記録するとともに、
撮影の際に、前記撮影装置と前記所定の領域内に配置された交信ポイントとの間で通信して、前記撮影装置側で得られた前記撮影画像の撮影コマ情報または撮影時刻情報と前記画像記録媒体の識別情報とを前記交信ポイントに送信し、
前記交信ポイントは、受信した前記撮影コマ情報または前記撮影時刻情報と前記画像記録媒体の識別情報とを、当該交信ポイントの識別情報とともに、前記所定の領域内のデータベースに記録管理させ、
前記撮影画像の再生時に、画像再生装置側において、
前記撮影装置の前記画像記録媒体に記録された前記撮影画像を取得し、
前記撮影画像の前記撮影コマ情報または前記撮影時刻情報、前記画像記録媒体の識別情報、および前記交信ポイントの識別情報を前記データベースから読み出して取得し、
前記交信ポイントの識別情報に基づいて、当該撮影コマの前記撮影画像の撮影場所を割り出し、この撮影場所に対応する所定の画像データ、文書データ、音声データおよびプログラムデータのいずれか一つ以上を合成データとして取得し、
取得された前記撮影画像を再生画像として再生するとともに、
この再生画像に付随させて、前記合成データを記録することを特徴とする画像撮影再生方法。
【発明の詳細な説明】
【０００１】
【発明の属する技術分野】
本発明は、画像撮影再生システムおよび方法に関する。
また、本発明は、表示画面付きカメラ等の撮影装置を有する画像撮影再生システムに関する。
詳しくは、本発明は、公園、観光地、競技場、野球場、遊技場、アミューズメントパーク、テーマパーク等の所定の領域内のゲート等の交信ポイントと通信可能なフィルムを装填したカメラや通信可能なレンズ付きフィルムや通信可能なカメラや通信可能なカードと対応付けられたカメラとの間で種々の情報の伝達を行い、フィルムやレンズ付きフィルムやカードやフィルムと対応付けられたデータベースやセンターコンピュータ等に記録された撮影情報を利用してプリント等の再生画像を作成する画像撮影再生システムおよび方法に関する。
また、本発明は、電子ペーパー等のシート状画像表示デバイスを画像表示部分に適用した表示画面付きカメラ等の撮影装置を有する画像撮影再生システムに関する。
【０００２】
【従来の技術】
従来、簡易なシャッタ機構、フィルム巻き上げ機構等を設けた本体部に、製造時に予め写真フィルムを装填した簡易型のカメラとしてレンズ付きフィルムが開発され、販売されている。このようなレンズ付きフィルムのユニット本体（筐体）に時計部、制御部、ＩＣメモリからなる撮影日時記憶部を設け、シャッタのレリーズ操作ごとにその時点での日時信号をＩＣメモリの撮影コマに対応した記憶領域に記録しておき、撮影完了後のプリント時にＩＣメモリに記録されている日時データを読み出して数字に変換し、画像とともに印画紙に焼き付けまたは印字するようにしたものが知られている。
【０００３】
例えば、特開平８−４３９５６号公報には、レンズ付きフィルムで撮影情報を記憶して、その情報を再生し、ラボでのプリント作成に利用するようにしたものが開示されている。
また、特開平９−２０３９５６号公報には、カートリッジ本体またはカメラ本体にＩＣメモリを組み込むとともに、前記ＩＣメモリにカメラ本体の外部からアクセスするためのインターフェース端子を、カメラ本体の外側に露呈されるように設け、撮影時には撮影コマごとにカメラから得られる撮影データを前記ＩＣメモリに記録するとともに、前記インターフェース端子を介してカメラ本体の外側から前記ＩＣメモリに、所定のデータを記録するようにしたデータ記録機能付きカメラが開示されている。
【０００４】
一方、今日、パーソナルコンピュータの普及とともに、画像をＣＣＤ素子等の撮像素子を利用して光電的に画像データを読み取るデジタルスチルカメラが普及している。
一般に、デジタルスチルカメラには、これから撮影しようとする撮影対象画像を表示する液晶表示モニタがカメラ背面（撮影者側の面）に配置され、撮影者がファインダーを覗くことなく、液晶表示モニタを見るだけで撮影対象画像（モニタ画像）内の主要被写体の配置位置や構図等を確認できるほか、すでに撮影された画像を表示しあるいはすでに撮影された複数の画像を縮小してインデックス画像として画像表示することができる。さらに、撮影時や画面表示のための各種パラメータ設定のために操作設定画面を液晶表示モニタに表示させて各種設定を行うことができる。
【０００５】
しかし、液晶表示モニタは、液晶表示のための消費電力が大きいため、液晶表示モニタのサイズが限られ、表示画面のサイズが小さい。そのため、上述した表示モニタの機能、すなわち撮影対象画像の確認や画像表示や操作設定画面の表示を十分に発揮することはできないといった問題がある。
また、液晶表示モニタのサイズが限られるため、デジタルスチルカメラの設定画面を用いて行われる各種設定の際の操作設定画面は階層構造が深くなり、操作設定が煩雑になり易い。また、すでに撮影された画像を液晶表示モニタに確認のために表示する場合、画像表示にかかる時間が長くなり、撮影者を不快にさせる場合も多い。
【０００６】
また、撮影者がこれから撮影しようとする画像をモニタ表示して撮影被写体の位置や画像の構図を確認する場合、液晶表示モニタがデジタルスチルカメラの背面に配置されるため、デジタルスチルカメラを低い位置や高い位置にセットして撮影しようとすると、撮影者がデジタルスチルカメラのセット位置に合わせて低い位置や高い位置でつらい姿勢を維持しなければならず、撮影者が液晶表示モニタで確認することが困難な場合も多い。
また、撮影者がデジタルスチルカメラを用いて一人で自分自身を撮影する場合、例えば、コニカレビオＺ３（コニカ株式会社製）のように、自分撮りミラーアダプタといった特殊なアダプタを必要とする。
このように今日提供されているデジタルスチルカメラは種々の不都合な点を有している。
【０００７】
ところで、特開平１１−３１６３９７号公報において、電気ペーパーシートを電子ディスプレイに適用した技術が開示されている。また、電気ペーパーシート（電子ペーパー）に関する記事が、ＡＳＣＩＩ２０００年２月号２２０頁〜２２５頁および３月号２４２頁〜２４７頁に掲載されている。
上記公報および、上記掲載記事によると、２枚のプラスチックシートの隙間のオイル液内に自由に浮遊している白黒半分ずつに塗り分けられた極小の無数の球にプラスチックシートの外側から電界を加えることによって、球を回転させて固定することができ、その際、球の回転によって白黒の面をプラスチックシートの表に向かせて、白黒の図柄や文字を浮き上がらせることができ、この原理をカラーの画像に適用することができると記されている。
【０００８】
また、多数の白い球を内部の青い液体中に浮遊させた直径１０分の１ｍｍ程度の透明なマイクロカプセルを２次元的に敷きつめたシートを両面から電界を加え、クーロン力によってマイクロカプセル内の白いカプセルを一方向に移動させることで、白い球が一方向に移動したマイクロカプセルの部分のシートの色を青から白に変える。この原理に基づいてカラーの画像を再現することができると記されている。
【０００９】
【発明が解決しようとする課題】
しかしながら、特開平８−４３９５６号公報や同９−２０３９５６号公報等に開示された従来のものは、いずれも、例えば、レンズ付きフィルムにＩＣメモリを付加したようなデータ記録機能付きカメラに、撮影情報を記録しておき、単にプリント処理に利用しようというものであり、例えば撮影場所に応じた特定キャラクタとの合成を行う等の娯楽性を向上させる機能についてはまったく考慮されていなかった。従って、遊園地における写真のように娯楽性が求められる場合には、顧客の要望に答えるという点で、まだ不十分であった。
【００１０】
また、特開平１１−３１６３９７号公報や上記文献に開示された電子ペーパでは、電界を与えて一度表示された画像が次の電界が加えられるまで消えず保持されるため、従来の液晶ディスプレイに比べて電力消費が少なくて済むといった利点や、液晶ディスプレイのように見る方向によって画像の濃淡が極端に変化する視野角依存性も持たないといった利点を有しているものの、未だに実用化されていないという問題があった。
また、強誘電性液晶を用いたフィルム液晶も電子ペーパとして開発されているが、未だに実用化されていないという問題があった。
【００１１】
本発明は、上記従来の問題に鑑みてなされたものであり、公園、観光地、娯楽施設、競技場、野球場、遊技場、アミューズメントパーク、テーマパーク等の所定の領域内の撮影場所に応じた特定キャラクタ等の画像や文書などの合成データを合成し、または付随させて記録し、娯楽性を向上させたプリント等の再生画像および撮影時の娯楽性を向上させたレンズ付きフィルムやカメラ等の撮影装置を顧客に提供することのできる画像撮影再生システムおよび方法、これに用いる撮影装置および画像再生装置ならびに画像再生方法を提供することを第１の課題とする。
【００１２】
また、本発明は、上記従来技術の液晶表示モニタが有する問題点を解決するために、上述した種々の電気ペーパーシート（電子ペーパ）等のシート状画像表示デバイスを利用することによって、撮影対象画像や撮影済み画像等の確認を容易かつ迅速に行い、また撮影時に行う各種設定の際の操作性が向上した表示画面付きカメラ等の撮影装置を提供することを第２の課題とする。
【００１３】
【課題を解決するための手段】
上記第１の課題を解決するために、本発明の第１の態様は、所定の領域内で、撮像レンズを用いて画像を撮影し、撮影された画像を画像記録媒体に記録する撮影装置と、
撮影の際に、前記所定の領域内に配置された交信ポイントの第２通信手段と情報の送受信が可能な第１通信手段と、
前記第１通信手段と前記第２通信手段との間でその少なくとも１つが送受信される、前記撮影画像の撮影コマ情報または撮影時刻情報と前記画像記録媒体の識別情報との少なくとも一方、および前記交信ポイントの識別情報を記録する情報記録手段と、
前記撮影画像の再生時に、前記撮影装置の前記画像記録媒体に記録された前記撮影画像を取得する撮影画像取得手段、
前記情報記録手段から、前記撮影画像の前記撮影コマ情報または前記撮影時刻情報と前記画像記録媒体の識別情報との少なくとも一方、および前記交信ポイントの識別情報を取得する情報取得手段、
前記交信ポイントの識別情報に基づいて、当該撮影コマの前記撮影画像の撮影場所を割り出し、この撮影場所に対応する所定の画像データ、文書データ、音声データおよびプログラムデータのいずれか一つ以上を合成データとして取得するデータ取得手段、
前記撮影画像取得手段によって取得された前記画像記録媒体に記録された前記撮影画像を再生画像として再生する画像再生手段、および
この画像再生手段によって再生される前記再生画像に付随させて、前記データ取得手段によって取得された前記合成データを記録するデータ記録手段を備える画像再生装置とを有し、
前記情報記録手段は、前記所定の領域内にデータベースとして備えられ、
前記第１通信手段は、前記撮影の際に、前記撮影装置側で得られた前記撮影コマ情報または前記撮影時刻情報と前記画像記録媒体の識別情報とを前記交信ポイントの前記第２通信手段に送信し、
前記交信ポイントは、前記第２通信手段で受信した前記撮影コマ情報または前記撮影時刻情報と前記画像記録媒体の識別情報とを、当該交信ポイントの識別情報とともに、前記所定の領域内の前記データベースに記録管理させ、
前記撮影画像の再生時に、前記情報取得手段は、前記撮影コマ情報または前記撮影時刻情報、前記画像記録媒体の識別情報および前記交信ポイントの識別情報を前記データベースから読み出して取得することを特徴とする画像撮影再生システムを提供するものである。
【００１４】
ここで、前記第１通信手段は、前記撮影装置に備えられるのが好ましい。
また、前記第１通信手段は、前記撮影装置と対応付けられた通信機能付きカードに備えられるのが好ましい。
【００１６】
また、前記第１通信手段は、ＩＣチップ内に備えられているのが好ましい。
また、前記画像記録媒体が、写真フィルムであるのが好ましい。
また、前記撮影装置が、レンズ付きフィルムであるのが好ましい。
また、前記ＩＣチップは、前記写真フィルムのパトローネに取り付けられているのが好ましい。
また、前記画像記録媒体が、画像データ記録媒体であるのが好ましい。
また、前記撮影装置が、デジタルスチルカメラまたはデジタルビデオカメラであるのが好ましい。
また、前記第１通信手段は、ＩＣチップ内に備えられており、前記ＩＣチップは、前記画像データ記録媒体を内包する匡体に取り付けられているのが好ましい。
【００１７】
また、前記画像再生手段は、前記撮影画像の前記再生画像を写真プリントとして再生し、
また、前記データ記録手段は、前記合成データを前記再生画像に合成するか、または前記写真プリントに裏プリントするのが好ましい。
また、前記画像再生手段は、前記撮影画像の前記再生画像の画像データを画像データ記録媒体に記録するメディアドライバであり、
また、前記データ記録手段は、前記合成データを前記再生画像の画像データと合成するか、または前記再生画像の画像データのヘッダに記録するのが好ましい。
また、前記画像再生手段は、前記撮影画像の前記再生画像の画像データを通信網を介して配信する画像データ配信手段であり、
前記データ記録手段は、前記合成データを前記再生画像の画像データと合成するか、または前記再生画像の画像データのヘッダに記録するのが好ましい。
【００１８】
また、前記撮影コマ情報は、撮影コマ番号であり、
前記交信ポイントの識別情報は、前記交信ポイントのＩＤ情報であるのが好ましい。
また、前記交信ポイントは、前記所定の領域内に設けられたゲートであり、
前記交信ポイントのＩＤ情報は、前記所定の領域内の所定の場所を示すゲート情報であるのが好ましい。
【００１９】
また、前記交信ポイントの識別情報は、所定の撮影場所を示す情報、または所定の撮影場所を示す情報およびこの所定の場所に対応した所定の画像または文書を含む情報であるのが好ましい。
また、同一の前記交信ポイントに対応する前記撮影コマが複数ある場合に、各々の前記撮影コマ毎に異なる前記撮影場所に対応した所定の画像データ、文書データ、音声データおよびプログラムデータのいずれか一つ以上を割り当てるようにしたのが好ましい。
また、前記交信ポイントの識別情報に、さらに、日時、時刻データを追加し、各々の前記再生画像にその撮影日時または時間帯を記録するようにしたのが好ましい。
また、同一の前記交信ポイントに対応する前記撮影コマ毎にグループ分けし、特定の背景画像と合成して、インデックス画像を作成するようにしたのが好ましい。
【００２０】
前記撮影装置は、さらに、予め音声データを記録するメモリ、または前記交信ポイントからこの交信ポイントの場所に対応した所定の音声データを受信する音声データ受信手段と、前記メモリが記録している音声データ、または前記交信ポイントから前記音声データ受信手段が受信した音声データを再生出力するスピーカと、を備え、
前記撮影コマを撮影する毎に、または所定の操作毎に、前記スピーカから前記音声データを再生出力するのが好ましい。
【００２１】
また、前記撮影装置は、さらに、筐体の外装部分に配置される、シート状画像表示デバイスからなる画像表示部と、この画像表示部に表示する表示画像の調整を行う画像表示調整部とを備えるものであるのが好ましい。
ここで、前記画像表示部は、前記筐体の複数面に画像表示面を備えるのが好ましい。
また、前記画像表示調整部は、前記画像表示部に表示するために、画像データを選択し、前記画像表示部に撮影済み画像の縮小画像、撮影対象画像、操作設定画面および操作説明画面の少なくとも１つを表示させるのが好ましい。
【００２２】
また、上記画像撮影再生システムであって、
前記撮影装置は、画像データを取得する画像データ取得手段を備え、
前記画像表示調整部は、前記画像データ取得手段によって画像データを得ることにより、前記画像データに基づく取得画像を表示させるのが好ましい。
また、前記画像データ取得手段は、予め画像記録媒体あるいはデータ記録部に記録された画像データを呼び出して取得し、あるいは画像データ受信器によって画像データを受信して取得し、
前記画像表示調整部は、取得した前記画像データに基づく取得画像を前記画像表示部に所定のタイミングで表示させるのが好ましい。
【００２３】
また、上記第１の課題を解決するために、本発明の第２の態様は、撮影装置側において、
所定の領域内で、撮像レンズを用いて画像を撮影し、撮影された画像を画像記録媒体に記録するとともに、
撮影の際に、前記撮影装置と前記所定の領域内に配置された交信ポイントとの間で通信して、前記撮影装置側で得られた前記撮影画像の撮影コマ情報または撮影時刻情報と前記画像記録媒体の識別情報との少なくとも一方、および前記交信ポイントの識別情報とを前記交信ポイントに送信し、
前記交信ポイントは、受信した前記撮影コマ情報または前記撮影時刻情報と前記画像記録媒体の識別情報とを、当該交信ポイントの識別情報とともに、前記所定の領域内の前記データベースに記録管理させ、
前記撮影画像の再生時に、画像再生装置側において、
前記撮影装置の前記画像記録媒体に記録された前記撮影画像を取得し、
前記撮影画像の前記撮影コマ情報または前記撮影時刻情報と前記画像記録媒体の識別情報との少なくとも一方、および前記交信ポイントの識別情報を前記データベースから読み出して取得し、
前記交信ポイントの識別情報に基づいて、当該撮影コマの前記撮影画像の撮影場所を割り出し、この撮影場所に対応する所定の画像データ、文書データ、音声データおよびプログラムデータのいずれか一つ以上を合成データとして取得し、
取得された前記撮影画像を再生画像として再生するとともに、
この再生画像に付随させて、前記合成データを記録することを特徴とする画像撮影再生方法を提供するものである。
【００４２】
【発明の実施の形態】
以下、本発明に係る画像撮影再生システムおよび方法を添付の図面に示される好適実施形態に基づいて詳細に説明する。
【００４３】
本発明の第１および第２の態様の画像撮影再生システムおよび方法、これに係る第３の態様の撮影装置および第４の態様の画像再生装置ならびに第５の態様の画像再生方法は、所定の領域、例えば、公園、観光地、娯楽施設、競技場、野球場、遊技場、アミューズメントパーク、テーマパーク等の領域内において写真撮影をする場合に、撮影を行ったテーマ館等の施設や構造物や撮影場所に関連した風景や建物やシンボルやキャラクタやアトラクション等の画像（参照画像）あるいはメッセージ（文書）をプリント等の再生画像に合成する等して、写真プリントや出力画像の娯楽性を高めようというものである。なお、撮影の対象となる所定の領域として、以下では、テーマパークを代表例として取り上げて説明するが、本発明はこれには限定されず、撮影対象となる撮影ポイントを有している領域であれば、どのような領域であってもよいのは、いうまでもない。
【００４４】
図１は、本発明の第２の態様の画像撮影再生方法を実施する本発明の第１の態様の第１実施形態に係る画像撮影再生システムの一実施例を示す模式的な説明図である。
図１に示す画像撮影再生システム１は、本発明の第２の態様の画像撮影再生方法および本発明に係る第５の態様の画像再生方法を実施するもので、公園、観光地、娯楽施設、競技場、野球場、遊技場、アミューズメントパーク、テーマパーク等の所定の領域内に設けられたゲート２０とデータ交信可能なレンズ付きフィルム１０と、撮影されたレンズ付きフィルム１０の撮影画像を再生して再生画像を出力する画像再生装置３０と、この画像再生装置３０に接続され、再生画像に合成または、付随させて記録する合成データを得るためのデータベース３２とを有する。
【００４５】
レンズ付きフィルム１０は、本発明に係る第３の態様の撮影装置であり、撮影レンズ１４と写真フィルム１６とを有し、その筐体内に、ＩＣチップ１２が設けられている。ＩＣチップ１２は、電源、好ましくはレンズ付きフィルム１０の内蔵電池（図示せず）に接続され、図２（ａ）に示すように、簡単な処理を行うＣＰＵ１２ｃとともに、少なくとも受信機能を含む通信機能を持ち、データ交信を行うことが可能な通信部１２ｂと、交信データなどの情報を記憶可能なＩＣメモリ１２ａとを有する。
一方、所定の領域、例えばテーマパーク内の各テーマ館あるいはテーマエリアの入り口毎に、交信ポイントとなるゲート２０が設けられ、ゲート２０の内部に設けられている通信部２２によって、顧客が持っているレンズ付きフィルム１０のＩＣチップ１２の通信部１２ｂとデータの交信が行えるようになっている。
【００４６】
レンズ付きフィルム１０を携帯した顧客が、あるテーマパークに入園して、園内を移動し、園内の各テーマ館あるいはテーマエリアごとの入り口に設けられたゲート２０を通過する際、顧客が持っているレンズ付きフィルム１０の筐体をゲート２０にかざすようにすると、ゲート２０の通信部２２からレンズ付きフィルム１０のＩＣチップ１２の通信部１２ｂ側に、ゲート関連情報が転送される。このゲート関連情報は、ゲート識別（ＩＤ）データ、日時・時刻データ等を含むものである。ゲート２０の通信部２２から通信部１２ｂにゲート関連情報を受信したレンズ付きフィルム１０側では、このゲート関連情報をその時点の撮影コマ番号等の撮影コマ情報と関連付けてＩＣチップ１２のメモリ１２ａに記録する。ゲート識別データからゲート２０の場所がわかり、このゲート２０に関連づけられたコマがどこで撮影されたものかがわかる。
【００４７】
これにより、顧客が１つのゲートを通過してから次のゲートを通過するまでの間において撮影されるコマに対しては、同一のゲート識別情報が付され、同一のテーマ館あるいは同一のテーマエリアにおいて撮影されたコマであることがわかる。
なお、通過ゲート２０は、このように１つのテーマエリア等の入り口にのみ設けられるばかりでなく、通過ゲートを各テーマパークの出口にも設けることで、撮影コマと撮影場所の照合精度を上げることができる。また、通過ゲートをそのテーマエリア内の一定の撮影ポイントにも設けて、そのポイントにおいて撮影したコマであることが識別できるようにすると、より一層きめ細かなサービスを付加することが可能となり、一層娯楽性が増す。
【００４８】
さらに、きめ細かいサービスとするには、レンズ付きフィルム１０と交信するポイント、すなわちゲートや交信ポイントをテーマパークのテーマエリア内の全通過場所をカバーできるように、高密度に配置するのが好ましい。
例えば、図３に示すように、所定のテーマエリア２４の入り口および出口の各々の通過ゲート（または交信ポイント）２０ａおよび２０ｂのみならず、入場者の携帯するレンズ付きフィルム１０とこのテーマエリア２４内の全てで交信できるようにこのテーマエリア２４内の通路２６に沿って両者の交信範囲が重なるように、通過ゲートまたは交信ポイント２０ｃ，２０ｄ，２０ｅ，２０ｆ等を配置するのが好ましい。
【００４９】
撮影後、顧客がテーマパーク内で撮影したレンズ付きフィルム１０のプリント注文を出すと、ラボでは、画像再生装置３０によってレンズ付きフィルム１０の各撮影コマの撮影画像を再生するとともに、レンズ付きフィルム１０のＩＣチップ１２に記録されたゲート関連情報等を読み取り、その情報に基づいて、その撮影コマに関連したキャラクタ画像（参照画像）やメッセージ（文書）等の特定の画像を、予めたくさんの参照画像や文書を記録したデータベース３２から読み出したり、あるいはインターネット等を介して取り入れて、その撮影コマの再生画像に合成して、娯楽性の高い写真プリントＰ等の出力（再生）画像を作成して、出力する。この時、前記特定の画像は、写真プリントＰの表面に合成して表示してもよいし、裏プリントするようにしてもよい。表面に合成するか、裏プリントにするかは、顧客が任意に選択可能となっていることが好ましい。
【００５０】
なお、画像再生装置３０から出力される出力（再生）画像は、写真プリントＰとして出力されるものに限定されず、出力再生画像の画像データを記録した画像データ記録媒体Ｍとして出力されるものであっても良いし、出力再生画像の画像データを直接インターネット等の通信網Ｎを介して所定の転送先に配信されるものであっても良い。この時、再生画像に合成される合成データとしては、画像（静止画／動画）データ、文書（テキスト）データに加え、音声データやプログラムデータなども用いることができる。
【００５１】
ところで、図１に示す実施例においては、テーマパーク等の所定の領域内の通過ゲート２０と交信可能なＩＣチップ１２は、レンズ付きフィルム１０内に設けられるが、レンズ付きフィルム１０内であれば、どこに設けても良く、レンズ付きフィルム１０の筐体内または筐体表面に設けても良いし、レンズ付きフィルム１０に組み込まれている写真フィルムのパトローネに設けても良い。
なお、図示例においては、このようなＩＣチップ１２は、レンズ付きフィルム１０内に設けられているが、本発明は、これに限定されず、図４（ａ）に示すように、ＩＣチップ１２を写真フィルム１７ａのパトローネ１８ａに設け、図４（ｂ）に示すような通常のフィルムカメラ１１ａに装填して用いても良い。なお、この写真フィルム１７ａをレンズ付きフィルム１０に用いても良い。
ところで、フィルムカメラ１１ａのように、静止画を対象とするのみならず、ムービーカメラのように、動画および静止画を対象とするものであっても良い。この場合には、ムービーフィルムのパッケージ等にＩＣチップを設けることにより、同様の目的を達成することができる。
【００５２】
さらに、図５（ａ）に示すように、このようなＩＣチップ１２をスマートメディアやメモリスティックやマルチメディアカードやコンパクトフラッシュ（フラッシュメモリ）やメモリカード等の画像用ＩＣメモリやＦＤ等の画像メモリ媒体１７ｂに設け、図５（ｂ）に示すようなデジタルスチルカメラやデジタルビデオカメラやデジタルムービーカメラ等のデジタルカメラ１１ｂに装填して用いても良い。この場合も、本発明が対象とする画像は、静止画のみならず、動画を対象とするものであっても良い。
【００５３】
図６に、上述のような撮影済レンズ付きフィルム１０やフィルムカメラ１１ａの撮影済フィルム１７ａやデジタルカメラ１１ｂの撮影済画像メモリ媒体１７ｂから写真プリントＰなどの出力再生画像を出力する本発明に係る第４の態様の画像再生装置３０の一実施例のブロックを示す。
同図に示すように、本発明に係る第４の態様の画像再生装置３０は、入力部３４と、処理部３６と、出力部３８とから構成される。
【００５４】
入力部３４は、レンズ付きフィルム１０の撮影済フィルム１６やフィルムカメラ１１ａの撮影済フィルム１７ａなどを現像するフィルム現像部４０と、このフィルム現像部４０で現像されたフィルム１６や１７ａの各撮影コマの撮影画像を光電的に読み取って画像データを得るスキャナ４２と、デジタルカメラ１１ｂの画像メモリ媒体１７ｂから画像データを読み出すメディアドライバ４４と、レンズ付きフィルム１０や撮影済フィルム１７ａのパトローネ１８ａや画像メモリ媒体１７ｂ等のＩＣチップ１２のＩＣメモリ１２ａから撮影コマ番号等の撮影コマ情報と対応付けられたゲート情報を読み出すＩＣリーダ４６とを有する。
【００５５】
処理部３６は、スキャナ４２で読み取られた、またはドライバ４４で読み出された所定の撮影コマの画像データを受け取って、所定の画像処理を施す画像処理部４８と、ＩＣリーダ４６で読み取られた当該撮影コマのゲート情報からその撮影場所を割り出し、割り出された撮影場所に対応する所定の画像や文書を合成データとして、例えばデータベース３２等を検索して、あるいはインターネット等の通信を介して取得する合成データ取得部５０と、画像処理部４８からの画像処理済画像データと合成データ取得部５０で得られた合成データとを合成処理する合成処理部５２とを有する。
【００５６】
ここで、合成処理部５２は、画像処理部４８からの画像処理済画像データに合成データ取得部５０からの合成データを画像データとして合成処理して合成画像データを得るものに限定されず、例えば、写真プリントＰの出力であれば裏プリントとして表側の画像処理済画像データによる再生画像と合成するための裏プリント用データを作成するものであっても良いし、画像データ記録媒体Ｍの出力や通信網Ｎを介しての出力の場合には、再生画像の画像データに付随させて、例えば、ヘッダやフッタなどに記録するための付随データを作成するものであっても良い。
【００５７】
出力部３８は、画像処理部４８からの画像処理済画像データ、もしくは、この画像処理済画像データと合成データ取得部５０からの合成データとの合成画像データを写真プリントＰとして出力するプリンタ５４と、画像処理済画像データ、または、合成画像データを画像データ記録媒体Ｍに記録して、記録済画像データ記録媒体Ｍを出力するメディアドライバ５６と、画像処理済画像データまたは合成画像データをインターネット等の通信網Ｎを介して配信する配信部５８とを有する。なお、写真プリントの表側に画像処理済画像データによる再生画像のみを再現する場合には、プリンタ５４には合成データを裏プリントする裏プリンタ５５が設けられている。
【００５８】
なお、合成データ取得部５０において、当該撮影コマの撮影場所に対応する所定の画像や文書を取得する場合、ＩＣチップ１２のメモリ１２ａから読み出されたゲート関連情報は、撮影コマ情報（番号）に対応付けられているので、各ゲートまたは交信ポイント２０に対応する撮影コマ番号がわかるので、何コマから何コマまでは、ある同一のテーマ館またはテーマエリアにて撮影したものであることがわかる。このように同一ゲート（交信ポイント）に対応するコマが複数ある場合、コマ毎に異なる参照画像を合成することが可能である。
例えば、○○城、○○屋敷等に応じた物語の登場人物等のキャラクタを複数パターン予め用意しておき、その中から適宜異なるパターンのキャラクタの参照画像を選んで合成する。または、その物語あるいはテーマについての解説文書を合成してもよい。なお、これらの画像や文書は、プリント表面に合成するのではなく、裏プリントするようにしてもよい。
【００５９】
なお、ラボの画像再生装置３０のデータベース３２に顧客の識別情報（顧客ＩＤ）を記録しておいて、テーマパークなどの所定領域への通算の来場回数に応じて、撮影画像の再生画像に合成する合成データを変更するのが好ましい。こうすることにより、同一の顧客に同一の合成データを合成したり、配信したりすることがないので、再来場者（リピータ）にとっての娯楽性を向上させることができる。
また、前記ゲート情報には、そのゲートを識別し撮影場所を示すゲート識別情報だけでなく、日時、時刻データをも含むようにしているため、プリントに撮影日時または撮影時間帯を記録することもできる。
さらに、どのコマはどのエリアで撮影したかが分かるので、顧客が持ち込んだ画像等を顧客の希望で合成するようにすることも可能である。
【００６０】
また、ゲート識別情報から、顧客がテーマパーク内をどのような順序で歩いたかがわかるので、その通過経路およびその通過時刻を、テーマパーク全体を表すマップに記したプリントをサービスとして作成してもよい。このようにすることにより、後日写真を見直すときの楽しさが増し、写真の記録性、娯楽性が一層増すこととなる。また、このとき、インデックスプリント風にまとめるようにしてもよい。
また、同一ゲートに対応するコマ毎に撮影コマをグループ分けし、これらを特定の背景画像と合成してインデックスプリントを作成するようにしてもよい。
【００６１】
次に、本発明の第２実施形態に係る画像撮影再生システムの一実施例について説明する。図７は、本発明の第１の態様の第２実施形態に係る画像撮影再生システムの一実施例を示す模式的な説明図である。
図７に示す画像撮影再生システム２は、図１に示す画像撮影再生システム１とレンズ付きフィルムのＩＣチップの構成（通信機能）およびゲートの構成（通信機能）が異なる点ならびにセンターコンピュータ１３０を有している点を除いて、同様の構成を有するので、同一の構成要素には、同一の参照符号を付し、その詳細な説明は省略する。
【００６２】
図７に示す画像撮影再生システム２は、テーマパーク等の所定の領域内に設けられたゲート１２０とデータ交信可能なレンズ付きフィルム１１０と、撮影されたレンズ付きフィルム１１０の撮影画像を再生して再生画像を出力する画像再生装置３０と、この画像再生装置３０に接続され、再生画像に合成または、付随させて記録する合成データを得るためのデータベース３２と、ゲート１２０と画像再生装置３０に接続され、レンズ付きフィルム１１０側から送信された識別（ＩＤ）コードなどの識別情報等とゲート１２０のゲート情報とを記録管理するセンターコンピュータ１３０とを有する。
【００６３】
図示例のレンズ付きフィルム１１０には、ＩＣチップ１１２が設けられているが、このＩＣチップ１１２は、図２（ａ）に示すＩＣチップ１２と同じ構成のＩＣメモリ１２ａ、通信部１２ｂおよびＣＰＵ１２ｃを有するＩＣチップを用いれば良いが、本実施形態では、通信部１２ｂは必ず、発信機能または送信機能を有している必要がある。しかし、ＩＣチップ１１２が、レンズ付きフィルム１１０による撮影毎に、ゲート１２０とのデータの交信を行う場合には、図２（ｂ）に示すような、通信部１２ｂおよびＣＰＵ１２ｃを有するＩＣチップ１１２を用いても良い。なお、レンズ付きフィルム１１０は、ＩＣチップ１２の代りにＩＣチップ１１２を有している以外は、レンズ付きフィルム１０と同じである。
【００６４】
また、ゲート１２０も、通信部１２２を有しているが、通信部１２２がレンズ付きフィルム１１０からレンズ付きフィルム識別（ＩＤ）コードなどのフィルム識別情報とともに、撮影コマ番号等の撮影コマ情報を受信し、センターコンピュータ１３０に送信する点を除いて、ゲート２０と同じである。
なお、この画像撮影再生システム２に図６に示す画像再生装置３０を用いる場合には、ＩＣリーダ４６が、レンズ付きフィルム１１０のＩＣチップ１１２のＩＣメモリ１２ａから撮影コマ番号やゲート情報等を読み出す代りに、ゲート１２０に接続されているセンターコンピュータ１３０から当該レンズ付きフィルム１１０の識別コードなどを用いて、撮影コマ番号やゲート情報等を取得する。
【００６５】
すなわち、この第２実施形態の画像撮影再生システム２は、上述した第１実施形態の画像撮影再生システム１とは逆に、レンズ付きフィルム１１０に設けられたＩＣチップ１１２側からその識別コードや撮影コマ番号等のデータ（情報）を通信部１２ｂによってゲート１２０に向けて発信するものである。ゲート１２０側では、これらの情報やデータを通信部１２２によって受信し、受信した情報やデータにゲート情報を付加し、これらの情報をゲート１２０に接続されたセンターコンピュータ１３０に送信し、センターコンピュータ１３０側で撮影コマ番号やこれに対応付けられたゲート情報等を識別コードごとに記録、集計して、管理する。なお、レンズ付きフィルム１１０のＩＣチップ１１２は、通信部１２ｂによって、撮影毎に情報をゲート１２０に送信しても良いが、ＩＣチップ１１２がＩＣメモリ１２ａを備えている場合には、ゲート１２０は、前回通過したゲート１２０との交信後に蓄積された情報をＩＣメモリ１２ａから読み出す、あるいはＩＣメモリ１２ａの蓄積情報を通信部１２ｂから受信するようにしても良い。
【００６６】
顧客がテーマパークなどの所定の領域内で写真撮影を行い、ゲート１２０を通過する際にレンズ付きフィルム１１０をゲート１２０にかざすと、各ゲート１２０では、その都度、ＩＣチップ１１２の通信部１２ｂが発信する情報やデータを通信部１２２で受信する。そして、ゲート１２０では、前回通過したゲート１２０で読み出した情報やデータ以後の、レンズ付きフィルム１１０のＩＣメモリ１２ａからデータを読み出し、前回通過したゲート１２０から今回通過するゲート１２０までの間に撮影されたコマに対してゲート１２０のゲート識別情報等を付加して、センターコンピュータ１３０に送信して、内部または外部のデータベースなどにこの情報やデータを書き込んで行く。センターコンピュータ１３０側では、各顧客やレンズ付きフィルム１１０の識別コード毎に、各撮影コマ毎のデータを記録、集計して管理し、後で顧客からプリント依頼などの再生画像の出力依頼があったときに、これらの情報やデータを利用する。
【００６７】
この後の画像再生装置３０におけるレンズ付きフィルム１１０のプリント処理等の再生画像の出力処理については、画像再生装置３０のＩＣリーダ４６が当該識別コードなどを用いて、撮影コマ番号やゲート情報等を取得する以外は、上述した第１実施形態と同様である。
ただし、第２実施形態では、各コマの撮影に関する情報はセンターコンピュータ１３０側に蓄積記録されているため、各コマのプリント処理等の再生画像出力処理に当たって、センターコンピュータ１３０から、各識別コード毎および撮影コマ番号等の情報をもとに、各撮影コマの情報やデータを読み出し、その情報に基づいて合成プリントＰを作成し、その合成画像データが記録された画像データ記録媒体Ｍを出力し、あるいは合成画像データを通信網Ｎを介して配信する。
【００６８】
なお、レンズ付きフィルム１１０にＩＣチップ１１２を設けずに、バーコードをレンズ付きフィルム１１０の筐体に添付して、これを読み取ることによっても同様の処理をすることができる。
すなわち、顧客が各ゲート通過時に、レンズ付きフィルム１１０に添付されたバーコードを読み取らせると、識別コード等の情報がセンターコンピュータ１３０に記録される。これにより、顧客のテーマパーク内の通過経路がわかり、第１実施形態におけるように、テーマパークのマップに通過経路等を記したプリントのサービスを行うことができる。但し、バーコードを読み取らせるだけでは撮影コマ番号はわからないため、各コマへの合成処理内容は第１実施形態より制限される。しかし、通過したゲートの情報があるので、通過したテーマ館（テーマエリア）に関係のあるキャラクタをその通過順に適宜用いて合成することにより、ある程度の対応は可能である。
【００６９】
次に、本発明の第１の態様の第３実施形態の画像撮影再生システムについて説明する。
第３実施形態の画像撮影再生システムは、図１および図６に示すレンズ付きフィルム１０や１１０ではなく、図４（ａ）に示すように、普通のフィルムカメラ１１ａのフィルム１７ａのパトローネ１８ａにＩＣチップ１２を設け、同様の効果をもたせるようにしたものである。
このとき、上述した第１実施形態の画像撮影再生システム１のように、ゲート２０からの情報をパトローネ１８ａのＩＣチップ１２に記録して、プリント処理等の再生画像出力時にＩＣチップ１２からこの情報を読み出して、画像等の合成を行う場合と、上述した第２実施形態の画像撮影再生システム２のように、パトローネ１８ａのＩＣチップ１２が発信したデータをゲート２０側で受信して、センターコンピュータ１３０で撮影情報を管理し、プリント処理等の再生画像出力時には、この管理情報に基づいて、画像の合成を行う場合とがある。
【００７０】
また、ＩＣチップ１２にデータを記録する場合、ＩＣチップ１２自身が記録機能を有している場合と、カメラ１１ａがゲート２０からのデータを受信して、カメラ１１ａがＩＣチップ１２にデータを記録する場合とがある。
ＩＣチップ１２を設けた場所が、レンズ付きフィルム１０または１１０の筐体か、フィルム１７ａのパトローネ１８ａかの違いの他は、上述した第１あるいは第２実施形態と同様である。すなわち、ラボ店とやりとりをする撮影媒体、すなわち写真フィルムや画像メモリ媒体にＩＣチップを設けて、撮影情報を記録し、プリント処理等の再生画像出力時に用いるようにしたものである。
なお、ＡＰＳ(Advanced Photo System) においてはカメラ側に受信機能のある通信部がある場合には、ゲート２０から受信したゲート情報をＩＣチップ１２ではなく、ＡＰＳフィルムの磁気層に磁気記録しても良い。
【００７１】
なお、以上の各実施形態において、ＩＣチップに情報やデータを記録する場合に、記録されるゲート情報として、撮影場所を示すゲート識別情報のみでなく、プリント処理等の再生画像出力時に合成すべき画像データ等自体をも含めるようにしてもよい。
【００７２】
また、以上の実施形態では、画像または文書（メッセージ）を合成する場合のみであったが、次の第４実施形態は、画像等を合成するのみでなく、さらに、音声データをも扱うようにして、撮影時等における娯楽性をより一層高めたものである。
【００７３】
図１または図７に示すように、レンズ付きフィルム１０または１１０の筐体内部、あるいは図４に示すように、普通のカメラ１１ａのフィルム１７ａのパトローネ１８ａ、もしくは図５に示すように、デジタルカメラ１１ｂの画像メモリ媒体１７ｂに，ＩＣチップ１２または１１２を設け、さらに、小型のスピーカ１９をレンズ付きフィルム１０，１１０あるいはカメラ１１ａ、１１ｂのボディに付属させる。ＩＣチップ１２，１１２には、そのＩＣメモリ１２ａ（図２（ａ）参照）に、この小型スピーカ１９で再生すべき各種再生用データを記録する。このデータは、コマ毎に異なるデータとすることが好ましい。このデータは、テーマパーク入場時に予め一括入力してもよいし、各ゲート２０，１２０を通過する毎にそのゲート２０，１２０のあるテーマエリア２４（図３参照）に対応したデータのみをゲート２０，１２０の発信機能のある通信部２２，１２２からＩＣチップ１２，１１２に入力するようにしてもよい。
データの内容としては、テーマパークのテーマソング等の音楽や、キャラクタや有名タレントの音声データ等が考えられる。あるいは、顧客が持ち込んだデータを入力するようなサービスを店頭で行うようにしてもよい。
【００７４】
顧客がテーマパーク内で、撮影時、フィルム巻き上げ時あるいは特定のボタンをオンにしたとき等のタイミングで、上述のＩＣチップ１２，１１２に記録されたデータを再生し、付属のスピーカ１９から出力するようにする。これにより、レンズ付きフィルム１０，１１０あるいはカメラ１１ａ，１１ｂが単なる撮影の道具だけでなく、娯楽性の高い遊具としての性格をも有することとなる。
さらには、各コマに対応する音楽の楽譜や歌詞を裏プリントするようにしてもよい。これらのことにより、写真撮影における娯楽性を大いに向上させることができる。
【００７５】
また、レンズ付きフィルム、あるいはフィルムのパトローネにＩＣチップを設けたため、以上の実施形態の他に、以下説明するような、レンズ付きフィルムあるいはＩＣチップの付いたパトローネを装填したカメラをカード代わりに使用することもできるという応用も考えられる。
すなわち、顧客が、テーマパーク内で買い物をしたとき、その都度ＩＣチップの付けられたレンズ付きフィルム等を見せて、その買い物情報をレンズ付きフィルム等に設けられたＩＣチップに記録する。そして、最終ゲートでレンズ付きフィルム等を見せてＩＣチップに記録されている買い物情報により、テーマパーク内でした買い物の料金を支払い、清算をする。顧客はその後でプリントの注文をすることとなる。このとき、買い物に応じた画像や文書等を裏プリントするようにしてもよい。例えば、コマーシャルや景品交換券等、あるいは家計簿風に集計した買い物情報を裏プリントする。コマーシャルはある企業の宣伝を表示するものであり、景品交換券は再びテーマパークに来たときに、それを見せると景品がもらえるというものである。また、家計簿風の買い物情報は、例えば、後年写真を見直した時に、その当時の物価等のその時代背景を示すものとして、写真を興味深いものとする。これらにより、写真の娯楽性を大いに増すことができる。
【００７６】
なお、上に述べた実施形態においては、テーマパーク内で、プリント等の再生画像の出力の注文をするのを原則とするが、何らかの事情でテーマパーク内で注文できない場合には、テーマパーク外の業務提携しているラボ等で注文することも可能である。
【００７７】
本発明の画像撮影再生システムにおいて、カメラ側の撮影機能、カメラ側とテーマパークなどの所定の領域のゲートや交信ポイントとの通信機能、画像再生機能を実現するハードウエア構成は、上述した例に限定されず、以下に示す種々のハードウエア構成パターンを用いることができる。
まず、上述した例では、レンズ付きフィルムや通常のフィルムや画像メモリ媒体に通信機能、すなわち通信部１２ｂを持つＩＣチップを設けているが、本発明はこれに限定されず、通信機能自体は、ＩＣチップとは別にカメラに持たせ、ＩＣチップには、ＩＣメモリとしての機能のみを持たせても良いし、デジタルカメラの場合には、ＩＣチップすら設けず、画像メモリ媒体１７ｂに種々の情報を撮影画像データとともに書き込んでも良い。
【００７８】
ところで、まず、変形実施形態の第１実施例として、撮影装置が、無線機能付きデジタルカメラである場合、レンズ付きフィルムをデジタルカメラに変えた図１に示す例の場合のように、撮影画像のコマ番号／撮影画像の画像データのファイル名と、通過ゲートから受信したゲート情報（ゲートＩＤを含む）とを関連付けて、ＩＣチップまたは画像メモリ媒体に記録することもできる。
また、レンズ付きフィルムを無線機能付きデジタルカメラに変えた図７に示す例の場合のように、カメラに設定された顧客識別コード（以下、顧客ＩＤという）と撮影画像のコマ番号／ファイル名とを通過ゲートに送信して、ゲート情報と関連付けて、センターコンピュータ（データベースまたはサーバ、以下、中央サーバという）に記録、管理することもできる。この場合、顧客ＩＤの代りに、画像メモリ媒体に割り当てたメモリ媒体識別コード（以下、媒体ＩＤという）を用いても良い。
なお、この第１実施例の場合には、撮影画像（画像データ）と通過ゲートの照合は、上述した通りに行えば良い。
【００７９】
次に、第２実施例としては、上記第１実施例において、撮影画像のコマ番号／ファイル名の替わりに、時刻情報を利用することもできる。
すなわち、ゲート側からカメラ側へ情報を送信する第１の場合（図１参照）、撮影画像データには、撮影時刻データを付加しておき、ゲート情報には、ゲート識別コード（以下、ゲートＩＤという）に加えて、受信時刻情報（カメラ側時刻データ）またはゲート側時刻データを付加しておく。
一方、カメラ側からゲート側への情報を送信し、さらに中央サーバに記録管理する第２の場合（図７参照）、撮影画像データには、撮影時刻データを付加し、顧客ＩＤ／媒体ＩＤに加えて、カメラ側時刻データを通過ゲートに送信し、ゲート情報を加えて中央サーバに記録する。あるいは、顧客ＩＤ／媒体ＩＤのみを通過ゲートに送信して、ゲート側時刻データとセットにし、さらにゲート情報を加えて中央サーバに記録する。
【００８０】
第３実施例として、カメラに通信機能がないが時計機能が付いている場合、通信機能付きカード、例えば、ＩＣチップ付きのカードを顧客に携帯させる。例えば、テーマパークなどにおいては、入場券として、この通信機能付きカードを配布すれば良い。
すなわち、上記第１の場合（図１参照）には、通信機能付きカードに少量のメモリ機能を持たせ、ゲートＩＤとゲート時刻データとをセットで記録させれば良い。また、上記第２の場合（図７参照）には、ゲート通過時に交信し、交信時刻とカード識別コード（以下、カードＩＤという）をゲート側（中央サーバ）で記録する。
プリント注文などの再生画像出力注文時には、レンズ付きフィルムや写真フィルムや画像メモリ媒体などの画像記録媒体と一緒にこのカードを提出する。
ラボ（画像再生装置側）では、カードＩＤ、撮影時刻データ、ゲート通過時刻データにより、撮影コマとゲート情報とを関係付けることができる。
【００８１】
第４実施例として、カメラが、後述するようなモニタ付きのカメラ（例えば、デジタルカメラ）の場合、第１の場合（図１参照）には、ゲート側から見本のキャラクタ画像データをカメラ側で受信して、モニタに表示する。モニタに表示された画像の中から、顧客が、撮影画像に合成したい画像を選択し、選択された画像の識別番号を撮影コマ番号と関連付けて記録する。さらには、選択画像の合成位置やサイズを指定するための編集データも付加できるようにすると良い。
ラボ（画像再生装置）での合成処理時には、カメラ側での受信画像そのもの、または、該当するキャラクタの高解像度画像を合成するのが好ましい。
【００８２】
この実施例で、画像データ記録媒体Ｍ、例えば、ＣＤ−Ｒ等への記録サービスやネット転送（配信）サービス時は、合成する合成データとして、上述したように、画像（静止画／動画）データ、文書（テキスト）データ、音声データおよびプログラムデータのいずれか１つ以上の組み合せが可能である。
本実施例においては、予め、所定の再生用データや（交信用／データ再生用）プログラムを記録した画像メモリ媒体（デジタルカメラ用）を顧客に配布しておく。この画像メモリ媒体を装填したデジタルカメラを携帯している顧客には、通過ゲートまたは交信ポイントに応じて、特定のプログラムやデータが再生されるようにしておくのが好ましい。
【００８３】
なお、合成するためのプログラムデータとして、簡易ゲームソフトであっても良い。この簡易ゲームソフトは、デジタルカメラ上で実行しても良いし、記録媒体からの再生時に実行しても良い。このようなゲームソフトとしては、例えば撮影画像をジグソーパズル化するソフトなどであっても良いし、ゲート毎に、異なるゲーム（登場キャラクタが通過ゲートにちなんだ内容のゲーム）のソフト、または同一種類のゲームであるが、ゲート毎にゲームの局面が異なるゲーム等のソフトを挙げることができる。
さらに、プログラムデータとしては、合成画像／文書／音声の再生ソフト、または注文受付け用ＧＵＩソフトであっても良い。
【００８４】
実施例５として、デジタルカメラの送信機能が高機能である場合（図７参照の第２の場合）には、撮影画像の圧縮画像データ、または画像特徴量をゲートに転送することができる。受信したゲート側では、圧縮画像データまたは画像特徴量をゲート情報と対応付けて中央サーバに記録し、保存することができる。
プリント注文などの再生画像出力注文時には、ラボ（画像再生装置側）では、オリジナル画像データに対し、ゲートに応じた画像の合成を行う。
なお、ここでは、カメラ側から顧客ＩＤの送信は、必須ではない。この場合には、画像ファイル名によって同定することができる。しかし、同一ファイル名が存在する場合、オリジナル画像と、中央サーバに保存されている画像との間で、ｉ）圧縮データの類似度比較、ii）画像特徴量の類似度比較、iii)撮影時刻と受信時刻の比較のいずれかにより、画像を識別することができる。
【００８５】
実施例６として、同じくデジタルカメラの送信機能が高い場合（図７参照の第２の場合）には、撮影画像のオリジナル画像データそのものをゲートに転送することもできる。受信したゲート側では、オリジナル画像データをゲート情報と対応付けて中央サーバに記録して、保存し、ラボ（画像再生装置側）では、オリジナル画像データに対し、ゲートに応じた画像の合成を行う。
なお、ここでは、顧客が、ラボ（写真店など）に到着する時点では、プリント等の再生画像ができあがっているとさらに好ましい。
この場合にも、実施例５と同様に、カメラ側から顧客ＩＤの送信は、（ある方が便利ではあるが、）必須ではない。
【００８６】
なお、上記実施例５および６において、実施例３の場合のように、カメラのデータ送信とは独立に、通信機能およびメモリ機能付きカードを用い、カードＩＤを利用しても良い。
本発明に係る第１〜５の態様の画像撮影再生システムおよび方法、撮影装置および画像再生装置ならびに画像再生方法は、基本的に以上のように構成される。
【００８７】
次に、図８〜図１１を参照して、本発明に係る第６の態様の撮影装置について説明する。
本発明に係る撮影装置である表示画面付きカメラについて、添付の図面に示す好適実施例に基づいて詳細に説明する。
【００８８】
図８（ａ）は、本発明に係る表示画面付きカメラの一実施例である表示画面付デジタルスチルカメラ６０（以降、単にカメラという）の概略斜視図を示している。  図８（ａ）に示すように、カメラ６０の外装部分には、カメラ筐体６２の前面６２ｂに撮像部６４が設けられ、カメラ筐体６２の上面６２ｃには、レリーズボタン６６および電源スイッチ６８が、カメラ筐体６２の一方の側面には、メモリカード挿入スロット７０が、さらにカメラ筐体６２の背面６２ａ、前面６２ｂ、上面６２ｃおよび底面６２ｄには、複数の画像表示面、すなわち画像表示部７２ａ、７２ｂ、７２ｃおよび７２ｄ（以降、画像表示部７２ａ、７２ｂ、７２ｃおよび７２ｄを総称して画像表示部７２という）が設けられる。
【００８９】
このような外装部分を備えるカメラ６０は、図９（ａ）に内部構成が示されるように、画像を光電的に読取って撮像し、画像データを得る撮像部６４、撮像部６４で得られた画像データに所定の信号処理を施す信号処理部７４、信号処理の施された画像データを一時保持記録する出力メモリ７６、画像表示部７２（画像表示部７２ａ〜７２ｄ）に表示する画像の配置調整を行う画像表示調整部７８、画像表示部７２、画像表示部７２ａの表面に配設されるタッチパネル操作部７２ｅ、さらに、画像データを記録保持するメモリを備えるデータ記録部８０、メモリカード８４に記録されている画像データを読み出し、あるいは、メモリカード８４に画像データを書き込むメモリカード読取書込み装置８２、および画像データを無線で受信する画像データ受信器８６を主に有し、さらに撮像部６４、信号処理部７４、出力メモリ７６、画像表示調整部７８、タッチパネル操作部７２ｅおよび画像データ受信器８６等の動作を管理制御するＣＰＵ８８を備える。
【００９０】
撮像部６４は、公知の撮像機構が用いられ、例えば、図９（ｂ）に示したように、撮影レンズ６４ａ、絞り装置６４ｂ、ＣＣＤ（撮像素子）６４ｃ、ＣＤＳ回路６４ｄ、Ａ／Ｄ変換器６４ｅ、タイミング発生回路６４ｆ、レンズ駆動部６４ｇ、絞り駆動部６４ｈを有して構成される。
【００９１】
撮影レンズ６４ａは、複数枚のレンズから成るズームレンズであり、レンズ駆動部６４ｇからの駆動力によってズーミング駆動が行われるとともに、後述のＡＦ機能によってフォーカスレンズが移動できるように構成される。
絞り装置６４ｂは、例えば、絞り孔が穿設された絞り板を絞り駆動部６４ｈの駆動力によって移動させることで、絞りを切り換える装置である。
撮影レンズ６４ａを介してＣＣＤ６４ｃの受光面に結像した被写体像はＣＣＤ６４ｃにおいて光電変換され、画像信号が順次読み出される。ＣＣＤ６４ｃから読み出された画像信号はＣＤＳ回路（二重サンプリング回路）６４ｄで各画素毎に雑音の抑制が行われ、図示しないゲインコントロールアンプで増幅されたのち、Ａ／Ｄ変換器６４ｅでＲ、Ｇ、Ｂのデジタル画像データに変換されて信号処理部７４に送られる。
撮像部６４のＣＣＤ６４ｃ、ＣＤＳ回路６４ｄ及びＡ／Ｄ変換器６４ｅには、ＣＰＵ８８によって制御されるタイミング発生回路６４ｆからタイミング信号が加えられ、このタイミング信号によって各回路の同期がとられている。
また、タイミング発生回路６４ｆおよび駆動部６４ｇ、６４ｈは、ともにＣＰＵ８８に接続され、動作の指令や制御をＣＰＵ８８から受ける。
【００９２】
信号処理部７４は、傷欠陥補正やγ補正や暗示補正等の公知のデータ処理の他、色（グレイ）変換や補正、階調補正、濃度（明るさ）補正、彩度補正、濃度ダイナミックレンジの圧縮・伸長や、さらには倍率変換等の公知のデジタル画像処理を、後述するタッチパネル操作部７２ｅで行われる指定や設定の内容に応じて行う部分である。
信号処理部７４で信号処理が施された画像データは、内蔵のデータ記録部８０（例えば、カメラ内蔵のフラッシュメモリ）に記録され、或いは着脱自在なメモリカード８４、例えばＰＣカード等にメモリカード読取書込み装置８２を介して記録されるように構成される。
【００９３】
出力メモリ７６は、画像処理部７４から送られる画像データを一時的に記録保持するメモリであって、記録保持された画像データは画像表示調整部７８より呼び出される。
画像表示調整部７８は、画像データを後述する画像表示部７２ａ〜７２ｄに表示する際に画像の配置を調整する部分であって、画像表示部７２ａに設けられたタッチパネル操作部７２ｅによって指定された表示方法に従って所定の画像表示部７２に画像表示を行うように画像データを調整する。
【００９４】
画像表示部７２は、画像表示部７２ａ〜７２ｄからなり、従来より用いられている液晶表示装置と異なり、シート状画像表示デバイスである略シート状の電子ぺーパーからなる画像表示媒体によって形成される。
この電子ペーパーは、特開平１１−３１６３９７号公報に開示される電気ペーパーシートや、ＡＳＣＩＩ２０００年２月号２２０頁〜２２５頁および３月号２４２頁〜２４７頁に掲載される電子ペーパー、あるいは、強誘電性液晶を用いた略シート状のフィルム液晶であって、いわゆる印刷物のように外部光の反射によって画像を見ることのできる反射型画像表示媒体である。
【００９５】
本実施例では、カメラ筐体６２の背面６２ａ、前面６２ｂ、上面６２ｃおよび底面６２ｄに画像表示部７２を有するものであるが、このほかに側面に画像表示部７２を有するものであってもよく、画像表示部７２が配置可能な位置であれば、カメラ筐体６２の外装部分のいずれの位置であってもよい。
このように、カメラ６０が電子ペーパーからなる画像表示部を複数面持つことができるのは、電界を与えて一度表示した画像が次の電界が加えられるまで消えず保持されるため、従来の液晶ディスプレイに比べて電力消費が少なくて済むといった利点を備えるからである。
また、電子ペーパーは、液晶表示モニタのように歩留りの低い高価な製品でないため、安価に使用することができ、また液晶表示モニタに比べて重量も軽く、さらには、画像表示部の設置方法によっては、カメラ筐体の背面、側面および前面にわたり一連の絵を表示することもできる利点を備える。
【００９６】
タッチパネル操作部７２ｅは、カメラ筐体６２の背面６２ａに配置される画像表示部７２ａの上面に配設されるタッチパネルを有する部分である。
タッチパネル操作部７２ｅは、タッチパネルの面上で入力タッチペンや指等によって押圧された圧力を感知してタッチ位置を示す出力信号を画像表示調整部７８に出力する。画像表示を行う画像の指定や画像表示部の指定に関する出力信号やカメラ６０の各種パラメータの設定等の出力信号は、画像表示調整部７８に送られ、この送られた出力信号から指定、設定された内容を識別する。これにより、出力信号はタッチ位置に応じて、カメラ６０のパラメータの設定、例えば、撮像レンズ６４ａのズーム倍率や絞り装置６４ｂにおける絞りの指定等といった撮影時の条件の指定や信号処理部７４における画像処理の条件の指定、さらには画像データをデータ記録部８０から消去する設定、さらには日付時分の設定等、カメラ６０の各種パラメータの指定や設定を行うことができるほか、所望の画像や画面を所望の画像表示部７２に表示するように指定することができる。
【００９７】
例えば、図８（ｂ）に示す画像表示部７２ａには、画像を画像表示部７２へ配置調整する操作設定画面の１つである配置調整画面が表示されている。この配置調整画面には、すでに撮影した撮影画像Ｇ１〜Ｇ３の縮小表示画像が示されており、この配置調整画面から、例えば、撮影画像Ｇ３の画像表示領域を押圧することで撮影画像Ｇ３を指定し、配置調整画面の下方に設定される指定ボタンの中から「上面」ボタンＢ３を押圧することで、図画像表示部７２ｃに画像Ｇ３を表示することができ、また、「モニタ画像」Ｇ０を押圧して指定し、「前面」ボタンＢ２を押圧することによって、現在カメラがモニタ撮影中であるモニタ画像をカメラ筐体６２の前面に位置する画像表示部７２ｂにモニタ画像として表示することができる。
【００９８】
このように画像表示部７２に所望の画像を配置調整することができ、例えば、モニタ画像をカメラ筐体６２の前面に位置する画像表示部７２ｂに表示することで、被撮影者自身がモニタ画像を見ることができるので、自分自身を撮影する際や自分とともに２人並んで撮影する際、所望のポーズや所望の構図で撮影することができる。また、「モニタ画像」Ｇ０を指定し、「上面」ボタンＢ３を押圧することで、モニタ画像をカメラ筐体６２の上面６２ｃに配置される画像表示部７２ｃにモニタ画像を表示することができ、カメラ６０を低い位置にセットした場合でも、画像表示部７２ｃに表示されるモニタ画像を見ることができ、つらい姿勢を維持してファインダを覗く必要がなくなる。
【００９９】
また、モニタ画像を画像表示部７２ａ〜７２ｄに表示する場合、カメラ６０に内蔵された姿勢検出センサを利用した公知の姿勢検出技術を用いてカメラ６０の姿勢を検出し、カメラ６０の姿勢に応じて画像表示部７２ａ〜７２ｄへ表示する画像の表示方向を変えるようにしてもよい。例えば、カメラ６０の側面を上下方向に立てた場合、それに応じて、画像表示部７２ｂに表示するモニタ画像も右あるいは左に９０°回転して立て、モニタ画像の天地方向が実際の天地方向と一致するようにモニタ画像を表示してもよい。
【０１００】
このように、画像表示部７２は、画像表示部７２ａ〜７２ｄといった複数の画像表示面を備えるので、従来の１つの液晶表示モニタのように、モニタ画像や撮影済み画像を縮小して表示する必要がなく、画像を所望の位置に大きく表示し、しかも画像内の天地方向も実際の天地方向と合わせて表示するので、画像の確認を容易かつ迅速に行うことができる。
【０１０１】
さらに、画像表示調整部７８は、予めデータ記録部８０に記録され用意されている操作説明画面や操作設定画面の画像データを呼びだして、画像表示部７２ａ〜７２ｄの所望の表示部に自在に表示させることができ、さらに操作説明画面を拡大あるいは縮小表示することもできる。すなわち、画像表示調整部７８は、本発明における画像データ取得手段として、画像表示部７２ａ〜７２ｄに表示する表示画面の画像データをデータ記録部８０から呼出し、必要に応じて信号処理部７４で拡大あるいは縮小処理を行い、画像表示部７２ａ〜７２ｄに操作設定画面あるいは操作説明画面を表示させる。タッチパネル操作部７２ｅで入力タッチペンや指等で押圧されて送信された出力信号は、画像表示調整部７８で指定や設定内容が識別される。
【０１０２】
本実施例では、タッチパネル操作部７２ｅを画像表示部７２ａのみに設けているが、カメラ筐体６２の前面６２ｂや上面６２ｃ等にタッチパネル操作部を設け、画像表示部７２ｂや７２ｃに表示した配置調整画面や操作設定画面を用いて、画像表示の調整やカメラ６０の各種パラメータの設定や指定を行ってもよい。この場合、画像表示部７２に設けられた複数のタッチパネル操作部で得られる出力信号は、画像表示調整部７８に送られ、指定や設定の内容が統合されて識別される。これにより、カメラ６０における各種パラメータの指定や設定を、画像表示部７２ａの他に７２ｂや７２ｃや７２ｄからも行うことができ、従来１つの表示画面から行われていた各種パラメータの指定や設定の際の入力の操作性を向上することができる。
【０１０３】
また、画像表示調整部７８は、撮影するにしたがって、撮影済み画像の縮小画像を画像表示部７２ａ〜７２ｄに逐次追加して表示させるものであってもよい。例えば、画像表示部７２ａにはモニタ画像を、画像表示部７２ｂ、７２ｃおよび７２ｄには、撮影された縮小画像を撮影とともに逐次追加して表示し、画像表示部７２ｂが一杯になると画像表示部７２ｃへ、画像表示部７２ｃが一杯になると画像表示部７２ｄへ画像表示場所を変えていく。これによって、撮影済みの画像の内容や撮影枚数の概略を知ることができる。
【０１０４】
また、画像表示調整部７８は、操作設定画面からの設定に応じて、データ記録部８０に予め登録されている画像を呼び出し、所定の画像表示部７２に画像を表示する構成としてもよく、さらに、その際動画を表示するのがよい。
たとえば、撮影被写体が幼児等のように、カメラ６０に注目せず、所望の構図の画像を撮影することができない場合、カメラ筐体６２の前面６２ｂに配置される画像表示部７２ｂに特定の人気アニメのキャラクタを再現、あるいは再生し、撮影被写体をカメラ６０の方向に関心を引かせることによって、所望の構図の画像を撮影することができる。また、タイマー撮影の際には、画像表示部７２ｂに数字によるカウントダウン表示を行うものであってもよい。このように、タッチパネル操作部７２ｅおよび操作設定画面を用いることで、様々な表示モードを設定することができる。
画像データ受信器８６は、外部から転送された画像データを受信する公知の受信装置であり、画像データを受信できる装置であれば、本発明において特に限定されない。
カメラ６０は以上のように構成される。
【０１０５】
このようなカメラ６０は、まず、撮像部６４のＣＣＤ６４ｃで撮影画像が光電的に読み取られてＣＤＳ回路６４ｄやＡ／Ｄ変換器６４ｅを介して画像データが得られた後、信号処理部７４に送られ、所定の画像処理が施される。その後、出力メモリ７６に送られ、一方、画像処理の施された画像データはデータ記録部８０に送られる。出力メモリ７６に送られた画像データは、記録保持されるとともに、画像表示部７８から呼びだされ、予め指定された画像表示部７２に画像表示される。
このように撮影された画像が指定された画像表示部７２に表示されるが、画像表示部７２に表示する画像の画像データをデータ記録部８０に記録保持されている画像データから選択することによって所望の画像を表示することができる。すなわち、画像表示部７２に表示したい画像の画像データをタッチパネル操作部７２ｅから指定することによって、指定された画像データがデータ記録部８０から呼び出され、必要に応じて、信号処理部７４で画像処理が施され、出力メモリ７６に記録保持された後、タッチパネル操作部７２ｅによって指定された表示形態にしたがって、指定された画像表示部７２に画像が表示される。また、指定内容に応じて画像データがメモリカード読取書込み装置８２を介してメモリカード８４から呼びだされ、画像表示に用いられる。あるいは、表示された画像の画像データがメモリカード８４に記録される。
【０１０６】
このように画像表示部７２ａ〜７２ｄに表示される画像の画像データは、メモリカード読取書込み装置８２を介して読み込まれたメモリカード８４に記録された画像データであってもよく、あるいは、無線を介して画像データ受信器８６で受信した画像データであってもよい。この場合、取得された画像データを用いて、所定のタイミングで画像表示部７２に画像表示するとよい。このような画像データの取得先は、予めタッチパネル部７２ｅによって設定される。
【０１０７】
画像データ受信器８６で無線を介して受信して得られる画像データの例として、たとえば、テーマパーク内で送信される画像データの例が挙げられる。
テーマパーク内の各テーマ館あるいはテーマエリアの入り口ごとに、ゲートが設けられ、ゲートは画像データを送信するように構成される。一方、カメラ６０では、画像データの取得先を画像データ受信器８６に設定し、カメラ６０を携帯した客が各テーマ館あるいはテーマエリアの入り口に設けられたゲートを通過する度に、カメラ６０はゲートから画像データの送信を受ける。
【０１０８】
画像データ受信器８６で受信して取得された画像データは信号処理部７４に送られ、必要に応じて信号処理が施される。その後、データ記録部８０に送られ記録されるとともに、出力メモリ７６に送られ一時記録保持され、さらに、画像表示調整部７８から呼びだされ、指定された画像表示部７２に、所定のタイミングで画像が表示される。カメラ６０は、テーマ館やテーマエリアのゲートを通過する度にテーマ館やテーマエリアに応じた画像を、外装部分の所望の位置に表示するので、カメラ自体の娯楽性を向上することができる。画像表示部７２を形成する電子ぺーパーにおいて、上述したように電界を与えて一度表示した画像は、次の電界が加えられるまで消えず保持されるため、画像を一定期間表示するのに適しており、しかも消費電力も不要である。
【０１０９】
このように各テーマ館あるいはテーマエリアの入り口に設けられたゲートを通過するたびに、表示画像が変更される。なお、図１１は、テーマエリアＡからテーマエリアＢに歩くうちに、画像表示部７２ｃに表示される画像が変更される一例を示している。表示画像として、例えば、テーマ館やテーマエリアに関連したキャラクタやテーマ館やテーマエリアを解説した解説図や文あるいは広告宣伝等の画像が挙げられる。また、無線を介して得られる画像表示は、同一の画像表示部７２で行う場合に限られず、画像表示部７２の表示場所を、画像データを受信する度に、例えば画像表示部７２ｂから７２ｃへといったように自動的に変更するものであってもよい。
勿論、画像データ受信器８６で受信され、画像表示された画像データは、メモリカード読取書込み装置８２を介してメモリカード８４に記録されてもよい。
【０１１０】
また、このような画像表示は、デジタルスチルカメラに限定されず、ＩＣ内蔵レンズ付きフィルムや通常のカメラであってもよい。
すなわち、ＩＣ内蔵レンズ付きフィルムや通常のカメラの筐体の外装部分に上記電子ペーパーからなる画像表示部７２と同様の画像表示部を設け、さらに、カメラ６０の画像データ受信器８６、信号処理部７４、画像データを記録保持するデータ記録部８０、出力メモリ７６および画像表示調整部７８と同様の画像データ受信器、信号処理部、データ記録部、出力メモリおよび画像表示調整部を設けてもよい。
【０１１１】
また、画像データを受信する上記画像データ受信器の替わりに、テーマ館あるいはテーマエリアの入り口に設けられたゲートから発信されるゲート識別信号を受信するゲート信号受信器をＩＣ内蔵レンズ付きフィルムに内蔵し、さらにデータ記録部に予めゲート別の画像データを記録して、ＩＣ内蔵レンズ付きフィルムを提供する。例えばゲート信号受信器を備え、テーマパーク専用の画像データがゲート別にデータ記録部に記録されたＩＣ内蔵レンズ付きフィルムをテーマパークの入り口等で販売する。あるいは、客の要望によりゲート信号受信器の付いた通常のカメラのデータ記録部にテーマパーク専用の画像の画像データをゲート別に一括して入力するサービスをテーマパークの入り口等で行う。
このようなＩＣ内蔵レンズ付きフィルムや上記サービスを受けた通常のカメラは、ゲート信号受信器より受信したゲート識別信号からテーマパーク内のどのゲートの信号を受信したのかを割り出し、割り出したゲートに応じた画像データをデータ記録部から読み出し、必要に応じて画像処理を行い、出力メモリ、画像表示調整部を介して所望の画像表示部に画像を表示させることができる。
【０１１２】
以上、本発明の画像撮影再生システムおよび方法について、種々の実施例を挙げて詳細に説明したが、本発明はこれらの実施例には限定されず、本発明の要旨を逸脱しない範囲において、各種の改良や設計の変更を行ってもよいのはもちろんである。
【０１１３】
【発明の効果】
以上詳述したように、本発明の第１および第２の態様によれば、公園、観光地、娯楽施設、競技場、野球場、遊技場、アミューズメントパーク、テーマパーク等の所定の領域内の撮影場所に応じた特定キャラクタ等の画像や文書などの合成データを合成し、または付随させて記録することができるので、写真の娯楽性などのカメラで撮影された画像の再生画像の娯楽性を大いに向上させることができる。
その結果、本発明の第１および第２の態様によれば、娯楽性を向上させたプリント等の再生画像および撮影時の娯楽性を向上させたレンズ付きフィルムやカメラ等の撮影装置を顧客に提供することができる。
【０１１４】
また、本発明に係る第６の態様の撮影装置である表示画面付きカメラは、筐体の外装部分に配置される、電子ペーパー等のシート状画像表示デバイスからなる画像表示部を備えるので、撮影対象画像や撮影済み画像等の確認を容易かつ迅速に行うことができ、また撮影の際等において指定、設定する各種パラメータの入力の操作性を向上することができる。また、筐体外装部分の可能な限りの表面を表示画面とすることができるので、カメラ自体の娯楽性を向上することができる。
また、電子ぺーパー等のシート状画像表示デバイスを用いた表示画面付きカメラは、液晶表示モニタを有するカメラに比べて高価なものにならず、また重量も軽く、さらには、カメラ筐体の背面、側面および前面にわたり一連の絵を表示することができる。
【図面の簡単な説明】
【図１】  本発明に係る画像撮影再生システムの一実施例を示す模式的な説明図である。
【図２】  （ａ）は、図１に示す画像撮影再生システムに用いられるレンズ付きフィルムのＩＣチップの一実施例のブロック図であり、（ｂ）は、レンズ付きフィルムのＩＣチップの別の実施例のブロック図である。
【図３】  図１に示す画像撮影再生システムに用いられるゲートの配置の一例を示す模式的な説明図である。
【図４】  （ａ）は、図１に示す画像撮影再生システムに用いられるＩＣチップ付き写真フィルムの一実施例の概略斜視図であり、（ｂ）は、（ａ）に示す写真フィルムを装填して撮影するフィルムカメラの一実施例の概略正面図である。
【図５】  （ａ）は、図１に示す画像撮影再生システムに用いられるＩＣチップ付き画像メモリの一実施例の概略正面図であり、（ｂ）は、（ａ）に示す画像メモリを装填して撮影するデジタルカメラの一実施例の概略正面図である。
【図６】  図１に示す画像撮影再生システムに用いられる画像再生装置の一実施例を示す模式的なブロック図である。
【図７】  本発明に係る画像撮影再生システムの別の実施例を示す模式的な説明図である。
【図８】  （ａ）は、本発明に係る撮影装置である表示画面付きカメラの一実施例を示す概略斜視図であり、（ｂ）は、（ａ）に示す表示画面付きカメラの画像表示部に表示される操作設定画面の一例を示す図である。
【図９】  （ａ）は、図８に示す表示画面付きカメラの一実施例の構成を示すブロック図であり、（ｂ）は、（ａ）に示す表示画面付きカメラの撮像部の一実施例の構成を示すブロック図である。
【図１０】  図８に示す画面付きカメラの画像表示部に表示される表示画面の他の一例を示す図である。
【図１１】  図８に示される画面付きカメラの画像表示部に表示される表示画面の表示画像の変化の例を示す図である。
【符号の説明】
１，２  画像撮影再生システム
１０，１１０  レンズ付きフィルム
１１ａ，１１ｂ  カメラ
１２，１１２  ＩＣチップ
１２ａ  ＩＣメモリ
１２ｂ，２２，１２２  通信部
１２ｃ  ＣＰＵ
１４  撮影レンズ
１６，１７ａ  写真フィルム
１７ｂ  画像メモリ媒体
１８  パトローネ
２０，２０ａ，２０ｂ，１２０  ゲート
２０ｃ，２０ｄ，２０ｅ，２０  交信ポイント
２４  テーマエリア
２６  通路
３０  画像再生装置
３２  データベース
３４  入力部
３６  処理部
３８  出力部
４０  フィルム現像部
４２  スキャナ
４４，５６  ドライバ
４６  ＩＣリーダ
４８  画像処理部
５０  合成データ取得部
５２  合成処理部
５４  プリンタ
５５  裏プリンタ
５８  配信デバイス
６０  表示画面付デジタルスチルカメラ
６２  筐体
６４  撮像部
６６  レリーズボタン
６８  電源
７０  メモリカード挿入スロット
７２，７２ａ，７２ｂ，７２ｃ，７２ｄ  画像表示部
７４  信号処理部
７６  出力メモリ
７８  画像表示調整部
８０  データ記録部
８２  メモリカード読取書込み装置
８４  メモリカード
８６  画像データ受信器
１３０  センターコンピュータ
【図１】
0004414107.tif 000002
【図２】
0004414107.tif 000003
【図３】
0004414107.tif 000004
【図４】
0004414107.tif 000005
【図５】
0004414107.tif 000006
【図６】
0004414107.tif 000007
【図７】
0004414107.tif 000008
【図８】
0004414107.tif 000009
【図９】
0004414107.tif 000010
【図１０】
0004414107.tif 000011
【図１１】
0004414107.tif 000012